(57)【特許請求の範囲】
【請求項１】
第一空間と、前記第一空間に隣接する第二空間との間に設けられる圧力調整ダンパーであって、
上方に水平方向に延びる第一回転軸が設けられ、前記第一回転軸回りに回動可能に設けられた第一回転羽根と、
下方に水平方向に延びる第二回転軸が設けられ、前記第二回転軸回りに回動可能に設けられた第二回転羽根と、
前記第一回転羽根と前記第二回転羽根とが互いに反対向きに回動するよう、前記第一回転軸と前記第二回転軸とを連結する連結部材と、
前記第一空間と前記第二空間との差圧による圧力に抗し、前記第一回転羽根及び前記第二回転羽根が閉じる方向のモーメントを前記第一回転軸又は前記第二回転軸に付与するウェイト部と、
を備え、
前記ウェイト部は、
前記モーメントを前記第一回転軸又は前記第二回転軸に付与するウェイトと、
前記第一回転羽根及び前記第二回転羽根が閉状態から開方向に回動するにしたがって、前記第一回転軸又は前記第二回転軸に付与するモーメントが小さくなるよう、前記ウェイトの前記第一回転軸又は前記第二回転軸からのオフセット寸法を変化させるオフセット寸法可変機構と、
を備え、
前記オフセット寸法可変機構は、
前記第一回転軸又は前記第二回転軸と一体に回転し、前記第一回転軸又は前記第二回転軸の径方向に延びるアームと、
前記アームに沿ってスライド自在に設けられ、前記ウェイトを支持する支持部材と、を備えることを特徴とする圧力調整ダンパー。
【請求項２】
前記アームは、前記第一回転羽根及び前記第二回転羽根が閉状態にあるときに、前記第一回転軸又は前記第二回転軸側から離間するにしたがって斜め下方に傾斜するよう設けられていることを特徴とする請求項１に記載の圧力調整ダンパー。
【請求項３】
前記オフセット寸法可変機構は、前記アームに沿った前記支持部材のスライド量を規制するストッパ部材を備え、
前記ストッパ部材は、前記アームに対する取付位置が前記アームに沿った方向に変更可能とされていることを特徴とする請求項１又は２に記載の圧力調整ダンパー。
【発明の詳細な説明】
【技術分野】
【０００１】
本発明は、圧力調整ダンパーに関する。
【背景技術】
【０００２】
各種の建物において、火災発生時における避難経路を確保するため、特別避難階段や非常用エレベータと、例えば廊下等の隣接室との間には、付室が設けられている。ここで、非常用エレベータを備える場合、付室は、非常用エレベータの乗降用ロビーを兼ねる。加圧防煙設備は、これら付室や非常用エレベータ乗降ロビー兼用付室に設置され、外気から付室にファン等により空気を送り込んで加圧することによって、付室内の圧力を廊下の圧力よりも高め、火災室から廊下に漏れ出た煙が付室内に入り込むのを防いでいる。
また、付室と廊下との間には防火扉が設けられ、火災発生時には、在館者はこの防火扉を開き、廊下から付室を経て特別避難階段を用いて避難する。
【０００３】
防火扉は、避難者の避難方向に合わせ、廊下側から付室側に開くようになっている。避難の際には、前述したように付室内の圧力が廊下の圧力よりも高いため、その差圧によって、防火扉を廊下側に押し付ける圧力が作用している。その結果、付室と廊下との差圧が過大であると、防火扉を開くのに大きな力が必要となり、防火扉が開き難くなる。
【０００４】
そこで、付室と廊下との差圧が過大とならないようするため、付室に給気するファンの風量を制御したり、付室において廊下に面する壁に圧力調整ダンパーを設置し、供給した空気の一部を廊下側に逃がすことが行われている。
【０００５】
例えば非特許文献１には、支軸に回転自在に設けられた回転羽根と、支軸からオフセットした位置に設けられたウェイトと、を備えた圧力調整ダンパーが開示されている。この構成においては、ウェイトから支軸に作用するモーメントが、回転羽根を閉じる方向に作用している。付室と隣接室との間に作用する差圧によって回転羽根に所定以上の圧力が作用すると、ウェイトから支軸に作用するモーメントに抗して回転羽根が開くようになっている。また、この圧力調整ダンパーにおいては、各回転羽根に対し、ウェイトが２個設けられている。この内の一方のウェイトは、回転羽根の自重による力を相殺するように設けられており、これにより、回転羽根がある程度開いたときに、回転羽根が全開状態まで開きやすくなるようにモーメントを作用させる。
非特許文献１に開示されたような圧力調整ダンパーでは、ウェイトから支軸に作用するモーメントに加えて、回転羽根の自重によるモーメントも支軸に作用する。したがって、回転羽根が閉状態から開き始めの領域、さらには開度が大きくなって全開状態に至るまでの領域で、回転羽根が回動するときの抵抗が大きくなってしまう。
また、非特許文献１に開示された圧力調整ダンパーは、回転羽根が回動するときに、２個のウェイトが干渉しないようにする必要があり、設置スペースが大きくなってしまう。
【先行技術文献】
【非特許文献】
【０００６】
【非特許文献１】“圧力調整ダンパー”、ダンパ総合カタログ、ニッケイ株式会社  ２０１５年３月  第２版、第２５頁、［online］、［平成２８年１月２１日検索］、インターネット〈URL：http://www.nikkey.co.jp/pdf/DAMPER_Web_2.pdf〉
【発明の概要】
【発明が解決しようとする課題】
【０００７】
本発明の目的は、所定以上の差圧が生じた際に、回転羽根が円滑に作動するとともに、設置スペースを縮小することが可能な、圧力調整ダンパーを提供することである。
【課題を解決するための手段】
【０００８】
本発明は、上記課題を解決するため、以下の手段を採用する。
すなわち、本発明の圧力調整ダンパーは、第一空間と、前記第一空間に隣接する第二空間との間に設けられる圧力調整ダンパーであって、上方に水平方向に延びる第一回転軸が設けられ、前記第一回転軸回りに回動可能に設けられた第一回転羽根と、下方に水平方向に延びる第二回転軸が設けられ、前記第二回転軸回りに回動可能に設けられた第二回転羽根と、前記第一回転羽根と前記第二回転羽根とが互いに反対向きに回動するよう、前記第一回転軸と前記第二回転軸とを連結する連結部材と、前記第一空間と前記第二空間との差圧による圧力に抗し、前記第一回転羽根及び前記第二回転羽根が閉じる方向のモーメントを前記第一回転軸又は前記第二回転軸に付与するウェイト部と、を備えることを特徴とする。
【０００９】
このような構成によれば、第一回転軸と第二回転軸とが互いに反対向きに回動するよう連結部材によって連結することで、第一回転羽根、第二回転羽根の自重によって第一回転軸、第二回転軸に作用するモーメントは相殺される。これにより、第一回転羽根、第二回転羽根には、ウェイト部によるモーメントのみが作用する。したがって、第一空間と第二空間との間の差圧によるモーメントがウェイト部によるモーメントを超えたときに、第一回転羽根及び第二回転羽根が、円滑に回動し、第一空間側と第二空間側とが連通し、第一回転羽根及び第二回転羽根の回転によって形成される開口部が拡がるため、第一空間と第二空間との差圧が小さくなる。
また、第一回転羽根、第二回転羽根の自重によって第一回転軸、第二回転軸に作用するモーメントは、上記のように相殺されるため、回転羽根の自重による力を相殺するためのウェイトを設置する必要がない。これにより、ウェイトの設置数を低減することが可能であるため、第一回転羽根、第二回転羽根が回動するにともなってウェイト部が回動したときに、ウェイト部が周囲と干渉しないようにスペースを確保しても、圧力調整ダンパーの小型化を図ることができる。
【００１０】
本発明の一態様においては、本発明の圧力調整ダンパーは、前記ウェイト部が、前記モーメントを前記第一回転軸又は前記第二回転軸に付与するウェイトと、前記第一回転羽根及び前記第二回転羽根が閉状態から開方向に回動するにしたがって前記第一回転軸又は前記第二回転軸に付与するモーメントが小さくなるよう、前記ウェイトの前記第一回転軸又は前記第二回転軸からのオフセット寸法を変化させるオフセット寸法可変機構と、をさらに備える。
【００１１】
このような構成によれば、第一回転羽根及び第二回転羽根が閉状態から開方向に回動するにしたがってウェイトによるモーメントが小さくなるよう、第一回転軸又は第二回転軸からのウェイトのオフセット寸法が変化する。これにより、第一回転羽根及び第二回転羽根が全開状態に近づくに従って、より少ない抵抗で開方向に回動する。したがって、第一回転羽根及び第二回転羽根が円滑に回動する。
【００１２】
本発明の一態様においては、本発明の圧力調整ダンパーは、前記オフセット寸法可変機構が、前記第一回転軸又は前記第二回転軸と一体に回転し、前記第一回転軸又は前記第二回転軸の径方向に延びるアームと、前記アームに沿ってスライド自在に設けられ、前記ウェイトを支持する支持部材と、をさらに備える。
【００１３】
このような構成によれば、第一回転羽根及び第二回転羽根が開方向に回動すると、アームは第一回転軸又は第二回転軸と一体に回転する。これにより、アームの傾斜状態が変化し、ウェイトを支持する支持部材がアームに沿ってスライドする。このようにして、第一回転羽根及び第二回転羽根が閉状態から開方向に回動するにしたがってウェイトによるモーメントが小さくなるよう、第一回転軸又は第二回転軸からのウェイトのオフセット寸法を変化させることができる。
【００１４】
本発明の一態様においては、本発明の圧力調整ダンパーは、前記アームが、前記第一回転羽根及び前記第二回転羽根が閉状態にあるときに、前記第一回転軸又は前記第二回転軸側から離間するにしたがって斜め下方に傾斜するよう設けられている。
【００１５】
このような構成によれば、第一回転羽根及び第二回転羽根が閉状態にあるときに、アームが第一回転軸又は第二回転軸側から離間するにしたがって斜め下方に傾斜しているので、支持部材は、アームに沿って第一回転軸又は第二回転軸側から離間する方向にスライドする。これにより、ウェイトによるモーメントが大きくなり、第一回転羽根及び第二回転羽根が閉状態にあるときに、閉状態を確実に維持することができる。
【００１６】
本発明の一態様においては、本発明の圧力調整ダンパーは、前記オフセット寸法可変機構は、前記アームに沿った前記支持部材のスライド量を規制するストッパ部材を備え、前記ストッパ部材は、前記アームに対する取付位置が前記アームに沿った方向に変更可能とされている。
【００１７】
このような構成によれば、アームに沿ってストッパ部材の取付位置を変更することで、ウェイトによって第一回転羽根、第二回転羽根に付与するモーメントの大きさを容易に調整することができる。
【発明の効果】
【００１８】
本発明によれば、所定以上の差圧が生じた際に、回転羽根が円滑に作動するとともに、設置スペースを縮小することが可能となる。
【図面の簡単な説明】
【００１９】
【図１】本実施形態に係る圧力調整ダンパーを備えた建物の平面図である。
【図２】図１の圧力調整ダンパーを示す正面図である。
【図３】図２の圧力調整ダンパーを構成するダンパーユニットを示す側面図である。
【図４】図３のダンパーユニットを構成する回転軸、連結部材、ウェイト機構を示す正面図である。
【図５】ウェイト機構を示す側面図である。
【図６】上羽根及び下羽根が全開状態となったときのウェイト機構を示す側面図である。
【発明を実施するための形態】
【００２０】
以下、添付図面を参照して、本発明による圧力調整ダンパーを実施するための形態について、図面に基づいて説明する。
【００２１】
本実施形態に係る圧力調整ダンパーを備えた建物の平面図を図１に示す。
図１に示されるように、建物１は、１以上の室２が面した廊下等の隣接室（第二空間）３と、付室（第一空間）４との間に、これら隣接室３と付室４とを区画する区画壁９が設けられている。ここで、付室４には、区画壁４ａを介して隣接するように特別避難階段５が設けられ、区画壁４ｂを介して隣接するように非常用エレベータ６が設けられている。付室４と特別避難階段５との間には、扉７が設けられている。
【００２２】
区画壁９には、防火扉８と、圧力調整ダンパー１０とが設けられている。
防火扉８は、一方の側端部８ａが、ヒンジ（図示無し）を介して、それぞれ鉛直軸周りに回動自在に支持されている。防火扉８は、隣接室３側から付室４側に押し開くように設けられている。
【００２３】
図１の圧力調整ダンパーを示す正面図を図２に示す。図２の圧力調整ダンパーを構成するダンパーユニットを示す側面図を図３に示す。図３のダンパーユニットを構成する回転軸、連結部材、ウェイト機構を示す正面図を図４に示す。
図２に示されるように、圧力調整ダンパー１０は、区画壁９に形成された開口９ａに嵌め込まれた矩形状の枠体１１と、枠体１１内に、例えば上下方向に複数個が列設されたダンパーユニット２０と、を備えている。
【００２４】
図３、図４に示されるように、各ダンパーユニット２０は、フレーム２０ｆと、上羽根（第一回転羽根）２２Ａ及び下羽根（第二回転羽根）２２Ｂと、回転軸（第一回転軸）２３Ａ及び回転軸（第二回転軸）２３Ｂと、連結部材２４と、ウェイト機構（ウェイト部、オフセット寸法可変機構）３０と、を備えている。
【００２５】
フレーム２０ｆは、隣接室３と付室４とを連通する方向に連続する横長矩形の筒状をなしている。このフレーム２０ｆは、図示しない固定ブラケット等により、枠体１１（図２参照）に固定されている。
【００２６】
上羽根２２Ａ及び下羽根２２Ｂは、フレーム２０ｆの内側に、上下一対で設けられている。上羽根２２Ａ、下羽根２２Ｂは、それぞれフレーム２０ｆの両側の側壁部２１ａ，２１ｂ（図４参照）同士を結ぶ幅方向に延びる帯板状をなしている。
【００２７】
図３に示されるように、上羽根２２Ａには、上下方向の中間位置よりも上方にオフセットした位置に、幅方向に連続する溝２２ｍが形成されている。下羽根２２Ｂには、上下方向の中間位置よりも下方にオフセットした位置に、幅方向に連続する溝２２ｎが形成されている。
【００２８】
図４に示されるように、回転軸２３Ａ，２３Ｂは、それぞれ、幅方向に沿って延び、その両端部がフレーム２０ｆの側壁部２１ａ，２１ｂに形成された孔（図示無し）に、その中心軸回りに回転自在に支持されている。
図３に示されるように、回転軸２３Ａは、フレーム２０ｆの上部に配置されている。この回転軸２３Ａは、上羽根２２Ａの溝２２ｍに嵌め込まれ、溶接や固定金具等を介して上羽根２２Ａに接合されている。
回転軸２３Ｂは、フレーム２０ｆの下部に配置されている。回転軸２３Ｂは、下羽根２２Ｂの溝２２ｎに嵌め込まれ、溶接や固定金具等を介して下羽根２２Ｂに接合されている。
このようにして、回転軸２３Ａ，２３Ｂに保持された上羽根２２Ａ，下羽根２２Ｂは、上下対称に設けられ、上羽根２２Ａの先端部２２ｓと、下羽根２２Ｂの先端部２２ｔとは、互いに上下に近接して対向している。上羽根２２Ａ，下羽根２２Ｂは、回転軸２３Ａ，２３Ｂの回転にともなって回転軸２３Ａ，２３Ｂを中心として回動する。
【００２９】
フレーム２０ｆには、上羽根２２Ａ及び下羽根２２Ｂが鉛直面内に位置して閉じた状態で、先端部２２ｓ，２２ｔの付室４側に、ストッパ部材２１Ｓが設けられている。ストッパ部材２１Ｓは、上羽根２２Ａ，下羽根２２Ｂが、鉛直面内に位置した状態よりも付室４側に回動するのを規制する。このストッパ部材２１Ｓは、付室４側から隣接室３側に向かって上下方向の高さ寸法が漸次増大する断面Ｖ字状に形成されている。
【００３０】
また、フレーム２０ｆには、上羽根２２Ａ及び下羽根２２Ｂが回転軸２３Ａ，２３Ｂとともに回動して全開状態となったときに、先端部２２ｓ，２２ｔに突き当たって上羽根２２Ａ，下羽根２２Ｂの開度を規制するストッパ部材２１Ｔが設けられている。
【００３１】
図４に示されるように、回転軸２３Ａ，２３Ｂの一方の端部２３ｅ，２３ｆは、フレーム２０ｆの側壁部２１ａから幅方向外方に突出している。
図３に示されるように、フレーム２０ｆの幅方向外方に突出した回転軸２３Ａ，２３Ｂの端部２３ｅ，２３ｆには、回転軸２３Ａ，２３Ｂの中心軸に直交する面内に位置する回転板２５Ａ，２５Ｂが設けられている。回転板２５Ａ，２５Ｂには、回転軸２３Ａ，２３Ｂが貫通する貫通孔２５ｈがそれぞれ形成されている。回転板２５Ａ，２５Ｂは、溶接等の適宜の接合手段によって、回転軸２３Ａ，２３Ｂに接合されている。これにより、回転板２５Ａ，２５Ｂは、回転軸２３Ａ，２３Ｂと一体に回転する。
【００３２】
回転板２５Ａ，２５Ｂの外周部には、ピン挿通孔２６Ａ，２６Ｂが形成されている。ここで上方の回転板２５Ａに形成されたピン挿通孔２６Ａは、上羽根２２Ａを閉じた状態で、回転軸２３Ａよりも下方、かつ回転軸２３Ａに対し、例えば隣接室３側に位置するよう形成されている。また、下方の回転板２５Ｂに形成されたピン挿通孔２６Ｂは、下羽根２２Ｂを閉じた状態で、回転軸２３Ｂよりも下方、かつ回転軸２３Ｂに対し、ピン挿通孔２６Ａとは反対側の付室４側に位置するよう形成されている。
【００３３】
連結部材２４は、棒状をなし、その上下の端部に、ピン挿通孔２８Ａ，２８Ｂが形成されている。連結部材２４のピン挿通孔２８Ａ，２８Ｂと、回転板２５Ａ，２５Ｂのピン挿通孔２６Ａ，２６Ｂとには、連結ピン２７Ａ，２７Ｂが回動自在な状態で挿通されている。これにより、上方の回転軸２３Ａに設けられた回転板２５Ａと、下方の回転軸２３Ｂに設けられた回転板２５Ｂとは、たすき掛け状に斜めに延びる連結部材２４を介して連結されている。
これにより、回転軸２３Ａに支持された上羽根２２Ａと、回転軸２３Ｂに支持された下羽根２２Ｂとは、閉状態と、先端部２２ｓ，２２ｔが隣接室３側に揺動した開状態との間で、同期して回動し、フレーム２０ｆの内側の開口２１Ｋ（図４参照）を開閉する。すなわち、上羽根２２Ａと下羽根２２Ｂとは、いわゆる観音開きをする対向翼を構成している。
【００３４】
ウェイト機構を示す側面図を図５に示す。
図５に示されるように、ウェイト機構３０は、例えば上方の回転軸２３Ａの端部２３ｅに設けられている。ウェイト機構３０は、アーム３１と、ストッパ部材３２Ａ，３２Ｂと、スライド部材３３と、ウェイト３４と、を備えている。
【００３５】
アーム３１は、丸棒状をなし、回転軸２３Ａの先端部２３ｅに形成された貫通孔２３ｈに挿通され、例えば溶接等によって回転軸２３Ａに固定されている。アーム３１は、一端３１ａ側が回転軸２３Ａに固定され、他端３１ｂ側は、回転軸２３Ａから径方向外方に向かって離間するよう延びている。これにより、アーム３１は、回転軸２３Ａと一体に回転する。
【００３６】
ストッパ部材３２Ａ，３２Ｂは、アーム３１の他端３１ｂ側に、アーム３１の長さ方向に沿って間隔を空けて設けられている。ストッパ部材３２Ａ，３２Ｂは、例えばナット等からなる円環状で、その内側にアーム３１が挿通されている。ストッパ部材３２Ａ，３２Ｂには、それぞれ、アーム３１の径方向に進退可能な留めネジ３５が設けられている。留めネジ３５をネジ込み、その先端部（図示無し）をアーム３１の外周面に突き当てることで、アーム３１の長さ方向におけるストッパ部材３２Ａ，３２Ｂの位置を固定できるようになっている。
【００３７】
スライド部材３３は、例えば円環状で、その内側にアーム３１が挿通されている。このスライド部材３３は、一対のストッパ部材３２Ａとストッパ部材３２Ｂとの間に配置され、ストッパ部材３２Ａとストッパ部材３２Ｂとの間でアーム３１の長さ方向に沿ってスライド移動可能となっている。
【００３８】
ウェイト３４は、スライド部材３３に、支持ロッド（支持部材）３６を介して吊下されている。支持ロッド３６は、上端部３６ａがスライド部材３３に回動自在に連結されている。
【００３９】
図３、図５に示されるように、このようなウェイト機構３０は、上羽根２２Ａが鉛直面内に位置して閉状態にあるときには、アーム３１は、他端３１ｂ側が水平状態よりも下方に位置するよう、他端３１ｂに向かって斜め下方に傾斜するよう設けられている。これにより、スライド部材３３は、アーム３１の他端３１ｂに近い側のストッパ部材３２Ａに突き当たった状態で、回転軸２３Ａから径方向外方にオフセットしている。スライド部材３３に支持ロッド３６を介して吊下されたウェイト３４は、スライド部材３３の鉛直下方に位置している。この状態で、ウェイト３４は、アーム３１を介し、回転軸２３Ａに、上羽根２２Ａが閉じる方向のモーメントＭ１を作用させている。このモーメントＭ１は、連結部材２４を介して下側の回転軸２３Ｂにも伝達され、下羽根２２Ｂが閉じる方向にモーメントＭ１による力が作用する。
【００４０】
上羽根及び下羽根が全開状態となったときのウェイト機構を示す側面図を図６に示す。
図５、図６に示されるように、ウェイト機構３０は、上羽根２２Ａが閉状態から開状態へと移行すると、アーム３１が回転軸２３Ａとともに回転し、他端３１ｂ側が一端３１ａ側よりも上方に位置し、他端３１ｂ側に向かって斜め上方に傾斜した状態となる（図５においては、二点鎖線で示した）。すると、スライド部材３３が、ストッパ部材３２Ａ側から、回転軸２３Ａに近い側のストッパ部材３２Ｂに向かってスライドする。スライド部材３３に支持ロッド３６を介して吊下されたウェイト３４は、スライド部材３３の鉛直下方に位置したまま、ストッパ部材３２Ｂ側に移動する。この状態で、ウェイト３４は、アーム３１を介し、回転軸２３Ａに、上羽根２２Ａが閉じる方向のモーメントＭ２を作用させている。この状態で、閉状態（図３参照）に比較すると、スライド部材３３が回転軸２３Ａに接近してオフセット寸法が小さくなっているので、閉状態のときのモーメントＭ１に比較すると、モーメントＭ２は小さくなっている。このモーメントＭ２は、連結部材２４を介して下側の回転軸２３Ｂにも伝達され、下羽根２２Ｂが閉じる方向にモーメントＭ２による力が作用する。
【００４１】
次に、上記したような圧力調整ダンパー１０の動作について説明する。
圧力調整ダンパー１０は、図３に示されるように、通常時は、上羽根２２Ａと下羽根２２Ｂとが、鉛直面内に位置して閉状態となっている。
【００４２】
煙感知器や熱感知器の作動により火災が発生したことを火災検知システムが感知すると、給気ファンに接続されたダクトを通じて給気口（図示無し）から付室４に外気が送り込まれる。すると、付室４内が加圧され、隣接室３側と付室４側との間に差圧が生じる。
この差圧により、圧力調整ダンパー１０の各ダンパーユニット２０においては、上羽根２２Ａ，下羽根２２Ｂに、付室４側から隣接室３側に向かう圧力Ｐが作用する。この圧力Ｐにより、上羽根２２Ａ，下羽根２２Ｂには、隣接室３側に向けてこれら上羽根２２Ａ，下羽根２２Ｂを開こうとする方向のモーメントＭｅが作用する。上羽根２２Ａ，下羽根２２Ｂには、ウェイト機構３０のウェイト３４によって、これら上羽根２２Ａ，下羽根２２Ｂを閉じようとする方向のモーメントＭ１が作用している。付室４側からの圧力ＰによるモーメントＭｅが、上羽根２２Ａ，下羽根２２Ｂを閉じようとする方向のモーメントＭ１を超えない限り、上羽根２２Ａ，下羽根２２Ｂは閉じたままの状態を維持する。
このようにして、圧力調整ダンパー１０がある設定差圧以下において全閉状態を維持することが可能となり、隣接室３側と付室４側との差圧が維持され、付室４への付室扉８を介した煙の侵入が防止される。
【００４３】
隣接室３側と付室４側との間の差圧が大きくなり、上羽根２２Ａ，下羽根２２Ｂに作用する付室４側から隣接室３側に向かう圧力Ｐが、予め設定した第一設定圧力（例えば３０Ｐａ）に到達すると、モーメントＭｅが、ウェイト３４によるモーメントＭ１よりも大きくなり、上羽根２２Ａ，下羽根２２Ｂが開く方向に回動する。
ここで、上羽根２２Ａと下羽根２２Ｂとは、上下対称に設けられた観音開きの対向翼で、幅方向（水平方向）に延びる回転軸２３Ａ，２３Ｂが連結部材２４によって連結されているため、上羽根２２Ａ，下羽根２２Ｂ自体の荷重によって回転軸２３Ａ，２３Ｂに作用するモーメントは相殺される。したがって、回転軸２３Ａ，２３Ｂには、ウェイト３４によるモーメントＭ１のみが作用しており、上羽根２２Ａ，下羽根２２Ｂが付室４側からの圧力Ｐによって開き始めるときには、スムーズに開動作する。
【００４４】
その後、図６に示されるように、上羽根２２Ａ，下羽根２２Ｂが、所定角度まで開いて全開状態となる。このようにして、上羽根２２Ａ，下羽根２２Ｂが、開き初めの微開状態から全開状態に移行するときには、回転軸２３Ａ，２３Ｂの回転にともなってウェイト機構３０のアーム３１が回転する。アーム３１が、他端３１ｂ側が一端３１ａ側よりも上方に位置するように傾斜すると、スライド部材３３が、回転軸２３Ａ側に向かってスライドし、ウェイト３４による、上羽根２２Ａが閉じる方向のモーメントが漸次小さくなる。したがって、上羽根２２Ａ，下羽根２２Ｂは、全開状態に近づくにしたがって、より容易に開く方向に回動し、確実に全開状態へと移行する。
【００４５】
このようにして、圧力調整ダンパー１０が開口し、付室４側から隣接室３側に空気が流れ込むことで、付室４と隣接室３側との差圧が小さくなる。これにより、扉８を付室４側に容易に押し開くことが可能となる。
【００４６】
上述したような圧力調整ダンパー１０によれば、上方に水平方向に延びる回転軸２３Ａが設けられ、回転軸２３Ａ回りに回動可能に設けられた上羽根２２Ａと、下方に水平方向に延びる回転軸２３Ｂが設けられ、回転軸２３Ｂ回りに回動可能に設けられた下羽根２２Ｂと、上羽根２２Ａと下羽根２２Ｂとが互いに反対向きに回動するよう、回転軸２３Ａと回転軸２３Ｂとを連結する連結部材２４と、付室４と隣接室３との差圧による圧力Ｐに抗し、上羽根２２Ａ及び下羽根２２Ｂが閉じる方向のモーメントＭ１を回転軸２３Ａに付与するウェイト機構３０と、を備える。
このような構成によれば、回転軸２３Ａと回転軸２３Ｂとが互いに反対向きに回動するよう連結部材２４によって連結されることで、上羽根２２Ａ、下羽根２２Ｂの自重によって回転軸２３Ａ、回転軸２３Ｂに作用するモーメントは相殺される。これにより、上羽根２２Ａ、下羽根２２Ｂには、ウェイト機構３０によるモーメントＭ１のみが作用する。したがって、付室４と隣接室３との間の差圧によるモーメントＭｅがウェイト機構３０によるモーメントＭ１を超えたときに、上羽根２２Ａ及び下羽根２２Ｂが、円滑に回動する。その結果、付室４側と隣接室３側とが連通して付室４と隣接室３との差圧が小さくなる。
このようにして、所定以上の差圧が生じた際に、上羽根２２Ａ，下羽根２２Ｂが円滑に作動することが可能となる。
また、上羽根２２Ａ，下羽根２２Ｂの自重によって回転軸２３Ａと回転軸２３Ｂに作用するモーメントは、上記のように相殺されるため、上羽根２２Ａ，下羽根２２Ｂの自重による力を相殺するためのウェイトを設置する必要がない。これにより、上羽根２２Ａ及び下羽根２２Ｂとともにウェイト機構３０が回動したときに、ウェイト機構３０が周囲と干渉しないようにスペースを確保しても、圧力調整ダンパー１０の小型化（薄型化）を図ることができる。これにより、圧力調整ダンパーの設置スペースを縮小することができる。
【００４７】
また、ウェイト機構３０は、モーメントＭ１，Ｍ２を回転軸２３Ａに付与するウェイト３４と、上羽根２２Ａ及び下羽根２２Ｂが閉状態から開方向に回動するにしたがって回転軸２３Ａに付与するモーメントが小さくなるよう、ウェイト３４の回転軸２３Ａからのオフセット寸法が変化する。
このような構成によれば、上羽根２２Ａ及び下羽根２２Ｂが全開状態に近づくに従って、より少ない抵抗で開方向に回動する。したがって、上羽根２２Ａ及び下羽根２２Ｂが円滑に回動する。
【００４８】
詳述すると、ウェイト機構３０は、回転軸２３Ａと一体に回転するアーム３１と、アーム３１に沿ってスライド自在に設けられ、ウェイト３４を支持する支持ロッド３６と、をさらに備える。
このような構成によれば、上羽根２２Ａ及び下羽根２２Ｂが開方向に回動すると、アーム３１は回転軸２３Ａと一体に回転する。これにより、アーム３１の傾斜状態が変化し、ウェイト３４を支持する支持ロッド３６がアーム３１に沿ってスライドする。このようにして、上羽根２２Ａ及び下羽根２２Ｂが閉状態から開方向に回動するにしたがってウェイト３４によるモーメントが小さくなるよう、回転軸２３Ａからのウェイト３４のオフセット寸法を変化させることができる。
【００４９】
また、アーム３１は、上羽根２２Ａ及び下羽根２２Ｂが閉状態にあるときに、回転軸２３Ａ側から離間するにしたがって斜め下方に傾斜するよう設けられている。
このような構成によれば、上羽根２２Ａ及び下羽根２２Ｂが閉状態にあるときに、アーム３１が回転軸２３Ａ側から離間するにしたがって斜め下方に傾斜しているので、支持ロッド３６は、アーム３１に沿って回転軸２３Ａ側から離間する方向にスライドする。これにより、ウェイト３４によるモーメントＭ１が大きくなり、上羽根２２Ａ及び下羽根２２Ｂが閉状態にあるときに、閉状態を確実に維持することができる。
【００５０】
さらに、ウェイト機構３０は、アーム３１に沿った支持ロッド３６のスライド量を規制するストッパ部材３２Ａ，３２Ｂを備え、これらストッパ部材３２Ａ，３２Ｂは、アーム３１に対する取付位置がアーム３１に沿った方向に変更可能とされている。
このような構成によれば、アーム３１に沿ってストッパ部材３２Ａ，３２Ｂの取付位置を変更することで、ウェイト３４によって上羽根２２Ａ，下羽根２２Ｂに付与するモーメントＭ１，Ｍ２の大きさを容易に調整することができる。例えば、モーメントＭ１を変更するようにストッパ部材３２Ａの位置を調整すると、上羽根２２Ａ，下羽根２２Ｂの開き始めの作動圧を調整することができる。また、モーメントＭ２を変更するようにストッパ部材３２Ｂの位置を調整すると、上羽根２２Ａ，下羽根２２Ｂの開度や回動速度を調整することができる。
【００５１】
（その他の変形例）
なお、上記実施形態において、ウェイト機構３０は、ウェイト３４を支持するスライド部材３３および支持ロッド３６がアーム３１に沿って回転軸２３Ａに近づく方向にスライドする構成としたが、これに限らない。アーム３１の回動にともなって、ウェイト３４によるモーメントが漸次変化するのであれば、他の構造を採用してもよい。
また、ウェイト機構３０は、ウェイト３４を支持する支持ロッド３６のアーム３１に対する連結位置が変動しない構成としてもよい。
また、上羽根（第一回転羽根）２２Ａと下羽根（第二回転羽根）２２Ｂは揚力を上げるため、真っ直ぐでなく、少し折り曲げた形状としてもよい。
また、圧力調整ダンパー１０を設置する場所として取り上げた付室４は、建築基準法で定められた付室に限定されず、加圧された室としてもよい。
これ以外にも、本発明の主旨を逸脱しない限り、上記実施の形態で挙げた構成を取捨選択したり、他の構成に適宜変更したりすることが可能である。
【符号の説明】
【００５２】
１  建物
３  隣接室（第二空間）
４  付室（第一空間）
１０  圧力調整ダンパー
２２Ａ  上羽根（第一回転羽根）
２２Ｂ  下羽根（第二回転羽根）
２３Ａ  回転軸（第一回転軸）
２３Ｂ  回転軸（第二回転軸）
２４  連結部材
３０  ウェイト機構（ウェイト部、オフセット寸法可変機構）
３１  アーム
３２Ａ，３２Ｂ  ストッパ部材
３３  スライド部材
３４  ウェイト
３６  支持ロッド（支持部材）
Ｍ１  モーメント
Ｍ２  モーメント
Ｍｅ  モーメント
Ｐ  圧力
【図１】
0006666162.tif 000002
【図２】
0006666162.tif 000003
【図３】
0006666162.tif 000004
【図４】
0006666162.tif 000005
【図５】
0006666162.tif 000006
【図６】
0006666162.tif 000007